(57)【要約】【課題】排水性及び、耐久性に優れるセットバック開口部装置を提供する。また、これに加えて生産性や施工性も向上できるセットバック開口部装置を提供する。【解決手段】下横枠は、見付方向内側に配置される障子側下横枠２１と、見付方向外側に配置されるセットバック下横枠３１とを備え、セットバック下横枠には、複数の片３４、３５が設けられ、障子側下横枠には複数の片２４、２５が設けられ、障子側下横枠と、セットバック下横枠とは、セットバック下横枠の複数の片の片間に、障子側下横枠の複数の片が内包されて嵌合されるとともに、セットバック下横枠は、複数の片間を渡すように片３２ｃ、３３ｂを有し、該片には、通水口３２ｆが設けられ、セットバック下横枠の見込み方向室外側を形成する片３２ａには、通水口に連通可能に室外側に通じる排水口が設けられている。【選択図】図５
2010144410.tif 000002
【特許請求の範囲】
【請求項１】
建物の開口部の４辺に沿って取り付けられる上横枠、下横枠、及び縦枠を有する枠体と、該枠体の内側で、見込み方向室内側に寄せられて配置される障子とを備えるセットバック開口部装置であって、
前記下横枠は、見付方向に組み合わされる２つの下横枠で、見付方向内側に配置される障子側下横枠と、見付方向外側に配置されるセットバック下横枠とを備え、
前記セットバック下横枠には、見付方向内側に向けて延在し、見込み方向に並列される複数の片が設けられ、
前記障子側下横枠には見付方向内側に向けて延在し、見込み方向に並列される複数の片が設けられ、
前記障子側下横枠と、前記セットバック下横枠とは、前記セットバック下横枠の前記複数の片の片間に、前記障子側下横枠の前記複数の片が内包されて嵌合されるとともに、
前記セットバック下横枠は、前記複数の片間を渡すように見込み方向に延在する片を有し、該片には、この片を貫通する通水口が設けられるとともに、
前記セットバック下横枠の見込み方向室外側を形成する片には、前記通水口に連通可能に室外側に通じる排水口が設けられていることを特徴とするセットバック開口部装置。
【発明の詳細な説明】
【技術分野】
【０００１】
本発明は、建物の開口部に備えられるセットバック開口部装置に関し、詳しくは、排水性及び、耐久性に優れるセットバック開口部装置に関する。
【背景技術】
【０００２】
近年、建物に対する需要者の要求は多様化しており、より快適で機能性の高い建物であることに加えて、外観にも優れた建物が必要とされている。かかる事情により建物の随所に適用される該建物の各構成要素の各々にも快適で機能性の高いことに加え、優れた外観を演出することができるものが採用される傾向にある。
【０００３】
このように建物の外観を演出することのできる構成要素のうちの１つに開口部装置がある。開口部装置は室内外を通じる建物の開口部に配置されるので、建物の外観の一部を構成する。従って機能のみでなく、建物に良い印象を与えることができる必要がある。
【０００４】
このような開口部装置のうちの一種でセットバック開口部装置があり、これは開口部装置に備えられる障子が、通常の開口部装置に比べて、室内側に奥まって配置されているものである。すなわち障子が室内側にセットバックされている開口部装置である。このようなセットバック開口部装置によれば、障子が建物の外壁に対して室内側に大きく凹部を有して配置されるので、外壁との陰影が大きく現れるととともに壁が厚いとの印象を与えることができる。これにより例えば建物に高級感のある美観を起こすことが可能となる。
【０００５】
特許文献１には、従来におけるセットバック開口部装置の構造が開示されている。これによれば、通常の窓サッシが外壁面に対して室内側に奥まって配置されてセットバックである窓構造が形成されている。
【特許文献１】特開２００４−１８３３８７号公報
【発明の開示】
【発明が解決しようとする課題】
【０００６】
しかしながら、特許文献１に記載のように通常の窓サッシを単にセットバックの窓構造へ適用すると、窓サッシから壁面までの開口部の縁に水切りや見切り材を設ける必要がある。このとき、当該水切りや見切り材と窓サッシの枠体との間で雨水等の浸入を防ぐ必要があった。特に開口部の下枠部分は、その性質上、サッシ上部から落ちてくる水を多く受けるので、止水構造が重要であり、各種パッキン等が使用されていた。ところがこのようなパッキン類は樹脂やゴム等により形成されているものが多く、サッシ本体に比べてその劣化が早く、耐久性の観点から改善する要望があった。
【０００７】
また、セットバック開口部装置の専用枠体として見込み方向に大きい枠体を用いることも一部で行われている。しかしながらこれはセットバック開口部装置としてのみしか利用できず、通常の窓サッシには適用できないので、品種の増加を招き、製造効率や生産設備の観点から無駄が生じてしまう問題があった。
【０００８】
そこで本発明はかかる観点から、排水性及び、耐久性に優れるセットバック開口部装置を提供することを課題とする。また、これに加えて生産性や施工性も向上できるセットバック開口部装置を提供することも課題とする。
【課題を解決するための手段】
【０００９】
以下、本発明について説明する。なお、本発明の理解を容易にするために添付図面の参照符号を括弧書きにて付記するが、それにより本発明が図示の形態に限定されるものではない。
【００１０】
請求項１に記載の発明は、建物（１）の開口部の４辺に沿って取り付けられる上横枠（４０）、下横枠（２０）、及び縦枠（６０、７０）を有する枠体と、該枠体の内側で、見込み方向室内側に寄せられて配置される障子（１１）とを備えるセットバック開口部装置（１０）であって、下横枠は、見付方向に組み合わされる２つの下横枠で、見付方向内側に配置される障子側下横枠（２１）と、見付方向外側に配置されるセットバック下横枠（３１）とを備え、セットバック下横枠には、見付方向内側に向けて延在し、見込み方向に並列される複数の片（３４、３５）が設けられ、障子側下横枠には見付方向内側に向けて延在し、見込み方向に並列される複数の片（２４、２５）が設けられ、障子側下横枠と、セットバック下横枠とは、セットバック下横枠の複数の片の片間に、障子側下横枠の複数の片が内包されて嵌合されるとともに、セットバック下横枠は、複数の片間を渡すように見込み方向に延在する片（３２ｃ、３３ｂ）を有し、該片には、この片を貫通する通水口（３２ｆ）が設けられるとともに、セットバック下横枠の見込み方向室外側を形成する片（３２ａ）には、通水口に連通可能に室外側に通じる排水口が設けられていることを特徴とするセットバック開口部装置を提供することにより前記課題を解決する。
【００１１】
ここで「見付方向」とは、平板状である開口部装置の平面に沿った方向を意味し、「見付方向内側」とは、見付方向のうち開口部装置の中央に向かう方向である。一方、「見付方向外側」とは、見付方向のうち開口部装置から離れる方向である。また、「見込み方向」とは平板状である開口部装置の厚さ方向を意味し、「見込み方向室外側」とは、開口部装置が建物に取り付けられた姿勢で室外側となる方向である。一方、「見込み方向室内側」は、開口部装置が建物に取り付けられた姿勢で室内側となる方向である。
【発明の効果】
【００１２】
本発明のセットバック開口部装置によれば、パッキン等によることのない止水排水構造となるので、当該止水排水性能の経年劣化がなく、耐久性を良好なものとすることが可能となる。また、通常の開口部装置をセットバック開口部装置に兼用することができる。これにより生産性を良好とすることも可能となる。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。ただし、本発明はこれら実施形態に限定されるものではない。
【００１５】
図１は１つの実施形態にかかるセットバック開口部装置１０（以下、単に「開口部装置１０」と記載することがある。）を具備する建物１の外観を示す正面図である。建物１は１階及び２階からなり、各階に開口部を有している。１階の開口部には玄関２や窓３が、２階の開口部にも窓４が備えられている。そして２階の開口部には本発明の開口部装置１０が配置されている。開口部装置１０は、本実施形態のような住宅に限定されず、あらゆる建物に適用することができる。
【００１６】
図２は、開口部装置１０が建物１に設置された状態において、該開口部装置１０の部分に注目して示した室外側斜視図である。図２では開口部装置１０の周囲は全て建物１の外壁８０、８０である。図２からわかるように、開口部装置１０には、ガラスパネル１７を有する障子１１が備えられている。そして該障子１１は、図２に矢印Ａで示した大きさだけ室内側に奥まって配置されている。通常の開口部装置では、このＡに相当する部分がほとんど設けられていない。従って開口部装置１０は、Ａの大きさのセットバックにより外壁面に凹部が形成される。これにより、陰影が演出されたり、壁が厚く見える印象を与えたりし、建物に高級感、重厚感を付与することができる。
【００１７】
次に開口部装置１０の構成について説明する。図３は、開口部装置１０が建物１の開口部に取り付けられた姿勢における該開口部装置１０の垂直断面図である。取り付けの状態がわかるように建物１の開口部の端部も合わせて断面で示している。図３では紙面左が室外側、紙面右が室内側である。図４は、開口部装置１０が建物１の開口部に取り付けられた姿勢における該開口部装置１０の水平断面図である。ここでも取り付けの状態がわかるように建物１の開口部の端部も合わせて断面で示している。図４では紙面上が室外側、紙面下が室内側である。以下、図３、図４及び適宜示す図を参照しながら開口部装置１０について説明する。
【００１８】
開口部装置１０は、建物開口部に沿って取り付けられる枠体を形成する下横枠２０、上横枠４０、縦枠６０、７０、該枠体の内側に配置される障子１１、網戸１８、及び開閉装置１９を備えている。
【００１９】
下横枠２０は、矩形枠体の下部の横枠を形成する長尺の部材で、図３に示した断面を概ね維持して紙面奥／手前方向に延在する。図５には、図３のうち下横枠２０の部分に注目した図を示した。図５では、わかりやすさのため障子１１、及び網戸１８は破線で示し、下横枠２０を分解して表している。図３、図５からわかるように下横枠２０は、もともとは個別の部材で、見付方向に組み合わせることができる、障子側上横枠２１と、セットバック上横枠３１とを備えている。
【００２０】
障子側下横枠２１は、図５で表される断面において、矩形状の中空部２２を備えている。該中空部２２は、見込み方向に延在する片２２ｂ、該片２２ｂの両端から見付方向内側に向けて立設される２つの片２２ａ、２２ｃ、及び片２２ａと片２２ｃの端部とを渡すように見込み方向に延在する片２２ｂに囲まれて形成されている。
中空部２２の見付方向内側で片２２ｃの側にはさらに中空部２３が設けられている。中空部２３は中空部２２の片２２ｂを共有し、該片２２ｂから見付方向内側に立設する２つの片２３ａ、２３ｃ、及び片２３ａの端部から見込方向室内側に延在して片２３ｃにＴ字状に接合する片２３ｂにより囲まれて形成されている。ここで、片２３ｃは、片２３ｂを超えて見付方向内側に延在し、その端部は見込方向室外側で障子１１側にＬ字状に折れている。
【００２１】
さらに、中空部２２の片２２ｄの見込み方向室外側端部からはさらに見込み方向室外側に向けて水切り２２ｅが延在している。ここで水切り２２ｅは、見付方向外側に向けて傾斜して設けられている。また、水切り２２ｅの見付方向外側面から見付方向外側に向けて片２４が設けられている。片２４はクランク状を有しており、見付方向外側に延在する片２４ａ、該片２４ａの端部から見込み方向室内側に延在する片２４ｂ、及び該片２４ｂからさらに見付方向外側に延在する片２４ｃを備えている。
また、片２２ｄの見込方向室内側端部からは見付方向外側に延在する片２５が設けられている。
【００２２】
さらに、中空部２２の見込み方向室外側の片２２ａには排水口が設けられ、ここに排水弁２９が取り付けられている。図５では１つの排水弁２９のみが記載されているが、障子側下横枠２１の長手方向に沿って所定の間隔を有して当該排水口及び排水弁２９が並列されている。排水弁２９はいわゆる一方弁であり、中空部２２側から室外側（図５の紙面左側）へ排水することができるが、逆はできない弁である。これにより室外側からの水や害虫の侵入を防止することができる。
【００２３】
ここで、障子側下横枠２１の断面形状は、セットバック開口部装置としない通常の開口部装置に採用される形状とされている。詳しくは後で説明する。
【００２４】
セットバック下横枠３１は、図５で表される断面において、矩形状の中空部３２を備えている。該中空部３２は、見込み方向に延在する片３２ｄ、該片３２ｄの両端から見付方向内側に向けて立設される２つの片３２ａ、３２ｅ、及び片３２ａと片３２ｅの端部とを渡すように見込み方向に延在する片３２ｂ、３２ｃに囲まれて形成されている。ここで、片３２ｂは片３２ａを越えて見込み方向室外側に延在するとともに、見付方向外側に向けて傾斜して設けられている。これにより水切りが形成されている。また、片３２ｃには、片３２ｃを貫通する通水口である孔３２ｆが設けられている。従って、片３２ｃの上面側に存する水が孔３２ｆを通じて中空部３２に通水することができる。さらに、片３２ａには排水口が設けられ、ここに排水弁３９が取り付けられており、ここから水を室外側に排出することが可能である。
【００２５】
ここで、図５では１つの孔３２ｆ、排水口及び排水弁３９のみが記載されているが、これら孔３２ｆ、排水口及び排水弁３９はセットバック下横枠３１の長手方向に沿って所定の間隔を有して並列されている。排水弁３９はいわゆる一方弁であり、中空部３２側から室外側（図５の紙面左側）へ排水することができるが、逆はできない弁である。これにより室外側からの水や害虫の侵入を防止することができる。本実施形態で通水口を「孔」としたが、通水可能であればこれに限定されることなく溝のような態様であってもよい。
【００２６】
また、中空部３２の見込み方向室外側部から見付方向外側に向けて片３６が設けられている。片３６はクランク状を有しており、見付方向外側に延在する片３６ａ、片３６ａの端部から見込み方向室内側に延在する片３６ｂ、及び片３６ｂからさらに見付方向外側に延在する片３６ｃを備えている。
【００２７】
中空部３２より見込み方向室内側には、該中空部３２に並べられるように、さらに中空部３３が設けられている。中空部３３は中空部３２の片３２ｅを共有している。そして、中空部３３は、片３２ｅの両端から見込み方向室内側に延在する片３３ｂ、３３ｄを備え、該片３３ｂ、３３ｄを渡すように片３３ｃが設けられている。すなわち、中空部３３は片３２ｅ、３３ｂ、３３ｃ、３３ｄにより囲まれて形成されている。
【００２８】
さらに、中空部３２の片３２ｂと片３２ｃとの間からは見付方向内側に向けて片３４が立設されている。該片３４は、その見付方向内側端部が見込み方向室内側に向かって折り曲げられている。また、中空部３３の見込み方向室内側端部からは見付方向内側に向けて片３５が延在されている。片３５は、後述するように、室内側に水が入らない程度の高さを有して形成されている。
【００２９】
このようにセットバック下横枠３１は、見込み方向に大きく形成されているので、セットバックされた開口部の下縁を適切に覆うことができる。
【００３０】
また、本実施形態では、片３２ｃ及び片３３ｂにより片３４と片３５とを渡すように見込み方向に延在する片が形成されている。そして、辺３３ｂ、及び片３２ｃの一部が傾斜して設けられ、その下端の高さ位置に孔３２ｆが備えられている。これにより、片３２ｃ、及び片３３ｂ上の水が孔３２ｆから排水し易くなり、排水の確実が図られている。
【００３１】
以上説明した障子側下横枠２１、及びセットバック下横枠３１において、図５にＢで示した片２４ａの室外側面と片２５の室内側面との距離Ｂが、図５にＣで示した片３４の見込み方向室内側面と片３５の見込み方向室外側面との距離Ｃと概ね同じになるように形成されている。従って障子側下横枠２１をセットバック下横枠３１に嵌め込むことができる。このとき、セットバック下横枠３１は、片３４、片３２ｃ、片３３ｂ、及び片３５による略コ字状の内側に障子横枠２１を包むように受け入れることが可能となり、排水の確実を図ることが可能となる。詳しくは後で説明する。
【００３２】
図３に戻り、引き続き開口部装置１０について説明する。上横枠４０は、矩形枠体の上部の横枠を形成する長尺の部材で、図３に示した断面を概ね維持して紙面奥／手前方向に延在する。図６には、図３のうち上横枠４０の部分に注目した図を示した。図６では、わかりやすさのため障子１１、及び網戸１８は破線で示し、上横枠４０を分解して表している。図３、図６からわかるように上横枠４０は、もともとは個別の部材であり、組み合わせることができ、障子側上横枠５１と、セットバック上横枠４１とを備えている。
【００３３】
障子側上横枠５１は、図６で表される断面において中空状の部材である。該中空状は、見込み方向に延在する片５２、該片５２の両端のそれぞれから垂下するように設けられる片５３、５７、片５３の見付方向内側端部から見込み方向室内側に延在する片５４、片５４の見込み方向室内側端部から見付方向内側に垂下するように設けられた片５５、及び片５５と片５７とを渡して設けられた片５６により囲まれて形成されている。
【００３４】
また、障子側上横枠５１には、片５１から見付方向外側に延在する取付片５９、及び片５３から見込み方向外側に延在する連結片５８がそれぞれ設けられている。
【００３５】
ここで、障子側上横枠５１の断面形状は、セットバック開口部装置としない通常の開口部装置に採用される形状とされている。詳しくは後で説明する。
【００３６】
セットバック上横枠４１は、図６で表される断面において、見込み方向に延在する片４２、該片４２の見込み方向外側端部から垂下するように設けられる片４３、及び該片４３の見付方向内側端部から見込み方向室内側に延在する片４４により囲まれてなる部材で、片４２と片４４との見込み方向室内側端部側が開放された略コ字状の部材である。また、片４２から見付方向外側に延在する取付片４６が設けられている。
【００３７】
以上説明した障子側上横枠５１、及びセットバック上横枠４１において、図３、図６からわかるように、障子側上横枠５１の見込み方向室外側にセットバック上横枠４１を取り付けることができる。このとき、セットバック上横枠４１のコ字状である内側に障子側上横枠５１の連結片５８を差し込むように配置する。
【００３８】
このように上横枠４０では、セットバック上横枠４１と、障子側上横枠５１とが見込み方向に並べられるので、上横枠４０を当該見込み方向に大きく形成することができる。従って、セットバックされた開口部の上縁を適切に覆うことが可能となる。
【００３９】
次に縦枠７０、８０について説明する。縦枠７０、８０は図４にその断面形状が表されるとともに、図７に縦枠７０に注目した図を示した。図７では、わかりやすさのため障子１１、及び網戸１８は破線で示した。紙面上方が室外側、紙面下方が室内側を示している。以下縦枠７０についてのみ説明するが、縦枠８０についても同様の構造である。
【００４０】
縦枠７０は、矩形枠体の左右の縦枠を形成する長尺の部材で、図４、図７に示した断面を概ね維持して紙面奥／手前方向に延在する。縦枠６０は、図７で表される断面において中空状の部材である。該中空状は、見込み方向に延在する片６２、該片６２の両端のそれぞれから見付方向外側に延在する片６１、６３、該片６１の端部から見込み方向室内側に延在し、片６３にＴ字状に接合される片６４により囲まれて形成されている。片６３は片６４を越えて見付方向外側に延在して設けられ、取付部６５とされている。また、片６２からは見付方向内側に向けて片６６が設けられるとともに、片６４の見付方向外側に向けて片６８が具備されている。
【００４１】
図３、図４に戻り引き続き開口部装置１０について説明する。障子１１は通常の開口部装置に用いられる障子であればよく、特に限定されることはない。本実施形態における障子１１は、複層ガラスパネルであるパネル１７と、その４辺に沿って設けられる横框１３、１４、及び縦框１５、１６を備えている。縦横框１３、１４、１５、１６へのパネル１７の取り付けはグレージングチャンネルを介しておこなわれている。
【００４２】
網戸１８は、上記説明した枠体の内側で障子１１より室内側に取り付けられるいわゆる通常の網戸である。従って、網状の面材と該面材に所定の張力を与えつつその四辺に沿って配置される縦横の網戸框を備えている。また、開閉装置１９は、図３、図４からわかるようにハンドル１９ａを回動させることにより障子１１が開閉するように構成された装置である。ここには通常の開口部装置に用いられる開閉機構を用いることができる。
【００４３】
以上のような開口部装置１０は、例えば次のように建物の開口部に取り付けられている。図３からわかるように、下横枠２０はその片３６ｃが建物の躯体８５ａの室外側面に合わせられ、固定部材等により固定される。また、外壁８０はシール材８１、８２を介して片３６ｂに突き当てられている。これにより下横枠２０が外壁８０の見切り材とされている。一方、上横枠４０はその片４６が建物の躯体８５ｂの室外側面に合わせられ、固定部材等により固定される。また、外壁８０は下横枠２０と同様に、シール材８１、８２を介して片４２に突き当てられている。これにより上横枠４０も外壁８０の見切り材とされている。
【００４４】
縦枠６０は、図４からわかるように、その取付片６５が建物の躯体８６ａの室内側面に合わせられ、固定部材等により固定される。また、外壁８０は開口部の縦縁に沿って室内側に延在する。そして縦枠６０の片６８に接触して配置される。ここで、片６４と外壁８０との間にはシール材８８、８９が設けられる。縦枠７０についても同様である。
【００４５】
また、セットバック開口部装置１０により障子１１が外壁８０に対して室内側に奥まって配置され、セットバックされている。
【００４６】
このように建物開口部に取り付けられた開口部装置１０によれば、下横枠２０において次のような排水経路を備える。図８に説明のための図を示した。すなわち、障子側下横枠２１とセットバック下横枠３１との接触部に例えシール材を挟む等をしない場合であっても、矢印Ｄで示した経路により下横框２０内に侵入水は、セットバック下横枠３１の上面に達し、その水は、片３２ｂの孔３２ｆを通過して中空部３２に落ち、ここから排水弁３９を通って室外へ排水される。
【００４７】
このように、例えシール材を用いなくても排水することができ、室内側への水の侵入を防止することができる。従ってシール材の劣化に影響されることがなく耐久性、信頼性の高い開口部装置１０を提供することが可能である。
【００４８】
また、侵入した水を受ける片３２ｂ、３３ｂの見込み方向両側には片３４、３５が立設しており、全体として断面で椀状を形成しているので、水がこれを越えて室内側に侵入することをさらに防止しており、防水の確実が図られている。また、このように形成することにより、当該椀状の内側に障子側下横枠２１を差し込むように設置することができ、施工の際の位置決めが自動になされる。従ってこの形状により施工の容易も兼ねている。
【００４９】
図９は、開口部装置１０において、セットバック下横枠３１、及びセットバック上横枠４１が離脱された場合には通常の開口部装置として用いることができることを説明するための図である。ここではこれを開口部装置１０’として説明する。開口部装置１０’に備えられる各部材は、開口部装置１０のセットバック下横枠３１、及びセットバック上横枠４１以外は該開口部装置１０と共通なのでここでは説明を省略する。
【００５０】
以上のような開口部装置１０’は、例えば次のように建物の開口部に取り付けられている。障子側下横枠２１の片２４ａが建物の躯体８５ａ’の室外側面に合わせられ、固定部材等により固定される。また、外壁８０’はシール材８１’、８２’を介して片２４ｂに突き当てられている。これにより障子側下横枠２１が外壁８０’の見切り材とされている。一方、障子側上横枠５１はその片５９が建物の躯体８５ｂ’の室外側面に合わせられ、固定部材等により固定される。また、外壁８０’は障子側下横枠２１と同様に、シール材８１’、８２’を介して片５２に突き当てられている。これにより障子側上横枠５１も外壁８０’の見切り材とされている。縦枠については、外壁８０’の開口部縦縁に沿って室内側に延在する大きさに違いがあるものの、基本的な納まりは開口部装置１０と共通するのでここでは説明を省略する。
【００５１】
このように、開口部装置１０では、通常の開口部装置の構成をセットバック開口部装置に用いることができるように形成されている。これにより、部品の兼用性を高め、製造、品質管理、物流管理等の観点からも優れたものとなっている。
【００５２】
以上、現時点において最も実践的であり、かつ、好ましいと思われる実施形態に関連して本発明を説明したが、本発明は本願明細書中に開示された実施形態に限定されるものではなく、請求の範囲及び明細書全体から読み取れる発明の要旨或いは思想に反しない範囲で適宜変更可能であり、そのような変更を伴うセットバック開口部装置も本発明の技術的範囲に包含されるものとして理解されなければならない。
【図面の簡単な説明】
【００５３】
【図１】第一実施形態にかかる本発明のセットバック開口部装置が備えられた建物の外観正面図である。
【図２】セットバック開口部装置が建物開口部に備えられたときの室外側斜視図である。
【図３】セットバック開口部装置が建物の開口部に取り付けられた場面における該セットバック開口部装置の垂直断面図で、取り付けの状態がわかるように建物の開口部の端部も合わせて断面で示した図である。
【図４】セットバック開口部装置が建物の開口部に取り付けられた場面における該セットバック開口部装置の水平断面図で、取り付けの状態がわかるように建物の開口部の端部も合わせて断面で示した図である。
【図５】下横枠に注目して示した図である。
【図６】上横枠に注目して示した図である。
【図７】縦枠に注目して示した図である。
【図８】下横枠における排水について説明するための図である。
【図９】通常の開口部装置としての納まりを説明するための図である。
【符号の説明】
【００５４】
１  建物
１０  セットバック開口部装置
１１  障子
２０  下横枠
２１  障子側下横枠
２９  排水弁
３１  セットバック下横枠
３２ｆ  通水孔（通水口）
３９  排水弁
４０  上横枠
４１  障子側上横枠
５１  セットバック上横枠
６０  縦枠
７０  縦枠
８０  外壁
【図１】
2010144410.tif 000003
【図２】
2010144410.tif 000004
【図３】
2010144410.tif 000005
【図４】
2010144410.tif 000006
【図５】
2010144410.tif 000007
【図６】
2010144410.tif 000008
【図７】
2010144410.tif 000009
【図８】
2010144410.tif 000010
【図９】
2010144410.tif 000011